【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
インプラントであって、
第１軸を有するハウジングと、
前記ハウジング内の退避位置と、ブレードが前記ハウジングから外方に延びている延伸位置とを有するブレードと、
従動軸部およびブレード係合部を備えるブレード移動要素と、を備え、
前記ブレード移動要素は、前記退避位置と前記延伸位置との間で前記ブレードを移動させることができ、
前記ハウジングは、ガイド開口を含む端部を有し、前記ガイド開口は、前記ブレード移動要素の前記従動軸部の一部を受け入れるチャンバ部と、前記チャンバ部に接続されている筒内溝部を備える、インプラント。
【請求項２】
前記チャンバ部は、前記従動軸部を受け入れるように構成されており、前記チャンバ部の断面形状は、前記従動軸部の回転を防止するように構成されている、請求項１に記載のインプラント。
【請求項３】
前記チャンバ部は、実質的に矩形の垂直断面形状を有し、前記従動軸部は、実質的に矩形の垂直断面形状を有する、請求項１または請求項２に記載のインプラント。
【請求項４】
前記第１軸は、前記インプラントの前方側部と後方側部との間に延びている、請求項１に記載のインプラント。
【請求項５】
前記端部は、前記インプラントの前記前方側部に関連付けられている、請求項４に記載のインプラント。
【請求項６】
前記ブレード移動要素は、前記第１軸に平行な方向に前記ハウジングを通って並進することができる、請求項１に記載のインプラント。
【請求項７】
前記筒内溝部は、ねじ切り留め具を受け入れるように構成されている、請求項１に記載のインプラント。
【請求項８】
前記筒内溝部はねじ山を有し、
前記ねじ切り留め具は、本体部と前記本体部に接合されているフランジ付き頭部とを含み、前記フランジ付き頭部は、ねじ切りセグメントを含み、前記ねじ切りセグメントは、前記筒内溝部のねじ山に対応する、請求項７に記載のインプラント。
【請求項９】
前記ねじ切り留め具は、前記従動端が前記チャンバ部から前記筒内溝部のある領域まで移動するのを防止するように構成されている、請求項７または請求項８に記載のインプラント。
【請求項１０】
インプラントであって、
第１軸を有する本体部と、
前記本体部内の退避位置と、ブレードが前記本体部から外方に延びている延伸位置とを有するブレードと、
前記第１軸に平行な方向に前記本体部を通って並進することのできるブレード移動要素と、を備え、
前記ブレードは、遠位面および近位面を有し、
前記ブレードは、前記遠位面に隣接して配設されているブリッジ部をさらに備え、前記ブリッジ部は、前記ブレードに構造的な補強を与えるように構成されており、
前記ブレード移動要素は、前記退避位置と前記延伸位置との間で前記ブレードを移動させることができる、インプラント。
【請求項１１】
前記ブレードは、前縁および後縁を有し、前記本体部は、第１保持チャンネルおよび第２保持チャンネルを含み、前記ブレードの前記前縁は、前記第１保持チャンネルに受け入れられ、前記ブレードの前記後縁は、前記第２保持チャンネルに受け入れられる、請求項１０に記載のインプラント。
【請求項１２】
前記ブレードは第１ブレード部と第２ブレード部とを含み、前記第１ブレード部と第２ブレード部とがゼロではない角度で交わる、請求項１０に記載のインプラント。
【請求項１３】
前記本体部の後方側部は、前記後方側部の第１端部と、前記後方側部の第２端部との間に延びている後方開口を含み、前記後方開口にまたがるように前記本体部にカバーが装着されている、請求項１０に記載のインプラント。
【請求項１４】
前記第１端部は、前記カバーの一部を受け入れるように構成されている第１凹部を含む、請求項１３に記載のインプラント。
【請求項１５】
前記ブレード移動要素の後方端は、受け部を含み、前記受け部は、前記カバーが前記本体部に装着されて、前記ブレードが延伸位置にあるときに、前記カバーの上側表面の上かつ下側表面の下に配設される、請求項１３または請求項１４に記載のインプラント。
【請求項１６】
前記ブレード移動要素の前記チャンネルは、前記ブレード移動要素の側面に対角線上に延びている、請求項１０に記載のインプラント。
【請求項１７】
インプラントであって、
ハウジングと、第１ブレードと、ブレード移動要素と、を備え、
前記第１ブレードは、前記ハウジング内の退避位置と、前記第１ブレードが前記ハウジングから外方に延びている延伸位置とを有し、
前記ブレード移動要素は、第１軸に平行な方向に前記ハウジングを通って並進するように構成されており、前記第１軸は、前記インプラントの前方側部から前記インプラントの後方側部に延びており、
前記ブレード移動要素は、従動軸部およびブレード係合部を備え、前記従動軸部は、前記第１ブレードが前記退避位置にあるときに、少なくとも部分的に前記ハウジングの外部に配設され、前記従動軸部は、前記第１ブレードが前記延伸位置にあるときに、全体が前記ハウジング内に配設される、インプラント。
【請求項１８】
前記従動軸部は、前記第１軸に実質的に整列した方向に延びているねじ切り開口を含む、請求項１７に記載のインプラント。
【請求項１９】
前記ハウジングは、前記ハウジングの前方側部に形成されている前方開口を含み、前記従動軸部は、前記第１ブレードが前記退避位置にあるときに、前記前方開口を通って延びている、請求項１７または請求項１８に記載のインプラント。
【請求項２０】
前記ハウジングの前記前方側部は、挿入ツールと係合するように構成されている少なくとも１つの第１空洞を含む、請求項１９に記載のインプラント。
【請求項２１】
第２ブレードをさらに備え、前記第１ブレードは、前記延伸位置で前記ハウジングから遠位上方に延び、前記第２ブレードは、前記延伸位置で前記ハウジングから遠位下方に延びている、請求項１７に記載のインプラント。
【請求項２２】
前記第２ブレードは、前記第１ブレードと実質的に同じ形状である、請求項２１に記載のインプラント。
【請求項２３】
請求項１８に記載のインプラントを挿入するためのツールであって、
挿入ツールは、前記インプラントの挿入中に、前記ハウジングを把持するように構成されており、前記挿入ツールは、前記ねじ切り開口に係合して、前記第１ブレードを前記退避位置から前記延伸位置まで移行させるねじ切りドライバをさらに備え、前記挿入ツールは、前記インプラントに取り付けられて、前記第１ブレードを前記延伸位置にロックするねじ切り留め具を含む、挿入ツール。
【請求項２４】
前記ブレード移動要素は、前記ブレード移動要素の中央に向いて配設されている斜材部を含む、請求項１７に記載のインプラント。
【請求項２５】
前記従動軸部は、前記ブレードが前記退避位置にあるときに、前記ハウジングの外部に配設される従動端を含み、前記従動端に力が加えられると、前記ブレードは、前記退避位置から前記延伸位置に移行する、請求項１７に記載のインプラント。
【請求項２６】
前記ブレードは外縁を備え、
前記ブレードの外縁は、前記退避位置では、前記ハウジングの中央領域に配設され、前記ブレードの前記外縁は、前記延伸位置では、前記ハウジングに対して外向きに位置付けられる、請求項２５に記載のインプラント。
【手続補正２】
【補正対象書類名】明細書
【補正対象項目名】００３６
【補正方法】変更
【補正の内容】
【００３６】
図６に示すように、ある実施形態では、本体部２００の前方側部１１０は、ガイド開口２２２を含む。ガイド開口２２２は、側壁６３０の厚さを貫いて、前後軸１２２に実質的に整列した方向に延びている。ガイド開口２２２は、チャンバ部（「チャンバ」）４９２と、筒内溝部（筒内溝部は、図３１および図３２に関して以下でさらに述べる）とを含む。いくつかの構成要素がチャンバ４９２から溝部内まで（またはその逆に）通過できるようにチャンバ４９２が溝部に連結されることは理解できる。
【手続補正３】
【補正対象書類名】明細書
【補正対象項目名】０１２３
【補正方法】変更
【補正の内容】
【０１２３】
本体部２００は、挿入ツール３６００と相互作用するための手段を含んでもよい。たとえば、図３７で分かるように、本体部２００は、第１空洞５８０および第２空洞５８２を含んでもよい（第１空洞５８０は、図４で確認される第１孔４８０をいう）。脊椎の椎骨間への挿入（または、からの取り外し）のる間、ツールによるインプラント１００のグリップを改善するために、第１空洞５８０および第２空洞５８２は、それぞれ挿入ツール３６００の端部を受け入れてもよい。さらに、同じ挿入ツール３６００を利用して、インプラント１００を挿入位置から展開位置まで移行させることができる。